(57)【要約】【課題】ディスプレイやスピーカの展開状態に対応して、表示する映像や出力する音声を変化させる格納式情報端末を実現する。【解決手段】映像信号選択部３１は、展開状態判定部３４からの制御信号に従い、映像再生部２５から入力される映像信号Ｖａ、または字幕重畳部３０からの文字列を含む映像信号Ｖｂをディスプレイ３に出力する。音声信号選択部３３は、展開状態判定部３４からの制御信号に従い、音声再生部２６から入力される音声信号Ａａ、または音声合成部３２からのナレーションを含む音声信号Ａｂをスピーカ４に出力する。展開状態判定部３４は、ディスプレイ３およびスピーカ４の格納部２からの展開状態を検出し、検出結果に対応して、映像信号選択部３１および音声信号選択部３３に制御信号を出力する。本発明は、ＰＤＡなどの情報端末に適用することができる。【選択図】　　　図８
2004046664.tif 000002
【特許請求の範囲】
【請求項１】
コンテンツ信号を再生する再生手段と、
前記再生手段によって再生された前記コンテンツ信号をユーザに提示する提示手段と、
前記提示手段を格納する格納手段とを備える情報処理装置において、
前記提示手段の前記格納手段からの展開状態を検出する検出手段と、
前記再生手段によって再生された前記コンテンツ信号を加工する加工手段と、
前記検出手段の検出結果に対応して、加工手段によって加工された前記コンテンツ信号を前記提示手段に提示させる提示制御手段と
を含むことを特徴とする情報処理装置。
【請求項２】
前記提示手段は、ディスプレイおよびスピーカであり、
前記再生手段は、映像信号および音声信号を再生する
ことを特徴とする請求項１に記載の情報処理装置。
【請求項３】
前記加工手段は、前記音声信号に対応する字幕信号を前記映像信号に重畳する
ことを特徴とする請求項２に記載の情報処理装置。
【請求項４】
前記加工手段は、前記映像信号に対応するナレーション用音声信号を前記音声信号に合成する
ことを特徴とする請求項２に記載の情報処理装置。
【請求項５】
前記提示手段は、スピーカであり、
前記再生手段は、第１および第２の音声信号を再生する
ことを特徴とする請求項１に記載の情報処理装置。
【請求項６】
前記加工手段は、前記検出手段の検出結果に対応する合成比を用いて、前記第１および第２の音声信号を合成する
ことを特徴とする請求項５に記載の情報処理装置。
【請求項７】
前記コンテンツ信号を取得する取得手段を
さらに含むことを特徴とする請求項１に記載の情報処理装置。
【請求項８】
前記取得手段は、カメラである
ことを特徴とする請求項７に記載の情報処理装置。
【請求項９】
前記取得手段は、マイクロフォンである
ことを特徴とする請求項７に記載の情報処理装置。
【請求項１０】
前記提示手段は、前記格納手段に対して回転軸を中心として任意の位置に展開可能である
ことを特徴とする請求項１に記載の情報処理装置。
【請求項１１】
前記提示手段は、前記格納手段に対し、平行移動によって任意の位置に展開可能である
ことを特徴とする請求項１に記載の情報処理装置。
【請求項１２】
前記情報処理装置は、ノート型、電子手帳型、携帯電話機型、または腕時計型である
ことを特徴とする請求項１に記載の情報処理装置。
【請求項１３】
コンテンツ信号を再生する再生手段と、
前記再生手段によって再生された前記コンテンツ信号をユーザに提示する提示手段と、
前記提示手段を格納する格納手段とを備える情報処理装置の情報処理方法において、
前記提示手段の前記格納手段からの展開状態を検出する検出ステップと、
再生された前記コンテンツ信号を加工する加工ステップと、
前記検出ステップの処理での検出結果に対応して、加工ステップの処理で加工された前記コンテンツ信号を提示させる提示制御ステップと
を含むことを特徴とする情報処理方法。
【請求項１４】
コンテンツ信号を再生する再生手段と、
前記再生手段によって再生された前記コンテンツ信号をユーザに提示する提示手段と、
前記提示手段を格納する格納手段とを備える情報処理装置を制御するプログラムであって、
前記提示手段の前記格納手段からの展開状態を検出する検出ステップと、
再生された前記コンテンツ信号を加工する加工ステップと、
前記検出ステップの処理での検出結果に対応して、加工ステップの処理で加工された前記コンテンツ信号を提示させる提示制御ステップと
を含むことを特徴とするコンピュータが読み取り可能なプログラムが記録されている記録媒体。
【請求項１５】
コンテンツ信号を再生する再生手段と、
前記再生手段によって再生された前記コンテンツ信号をユーザに提示する提示手段と、
前記提示手段を格納する格納手段とを備える情報処理装置を制御するコンピュータに、
前記提示手段の前記格納手段からの展開状態を検出する検出ステップと、
再生された前記コンテンツ信号を加工する加工ステップと、
前記検出ステップの処理での検出結果に対応して、加工ステップの処理で加工された前記コンテンツ信号を提示させる提示制御ステップと
を実行させるプログラム。
【発明の詳細な説明】
【０００１】
【発明の属する技術分野】
本発明は、情報処理装置および方法、記録媒体、並びにプログラムに関し、例えば、移動時には、ディスプレイ、スピーカなどの情報提示部を本体に対して重ね合わせて格納するようにし、使用時にはそれらを本体の外側に展開するようにした情報処理装置および方法、記録媒体、並びにプログラムに関する。
【０００２】
【従来の技術】
例えばＰＤＡ（Ｐｅｒｓｏｎａｌ　Ｄｉｇｉｔａｌ　Ａｓｓｉｓｔａｎｔ）に代表される情報端末には、概してサイズの小型化が要求されている。また、同時に、ユーザに対する情報提示能力の向上や新たな機能の追加も望まれている。具体的には、画面を表示するディスプレイの大型化や、音声出力するスピーカの高品質（大型化）も望まれている。
【０００３】
これらの両立し難い要求を満たすために、例えば、移動時時には情報端末の本体に対して重ね合わせて格納することができ、使用時には本体の外側に展開することができるディスプレイやスピーカを設けることが考えられている。以下、そのような情報端末を、格納式情報端末と記述する。
【０００４】
【発明が解決しようとする課題】
しかしながら、従来、格納式情報端末に対してはディスプレイやスピーカを全て完全に展開して使用することが前提とされており、例えば、ディスプレイとスピーカの一方だけを展開した場合や、ディスプレイやスピーカを途中まで展開した場合などに対応して、表示する映像や出力する音声に変化を加えるような機能は存在していない。
【０００５】
本発明はこのような状況に鑑みてなされたものであり、例えば、ディスプレイやスピーカの展開状態に対応して、表示する映像や出力する音声を変化させる格納式情報端末を実現することを目的とする。
【０００６】
【課題を解決するための手段】
本発明の情報処理装置は、提示手段の格納手段からの展開状態を検出する検出手段と、再生手段によって再生されたコンテンツ信号を加工する加工手段と、検出手段の検出結果に対応して、加工手段によって加工されたコンテンツ信号を提示手段に提示させる提示制御手段とを含むことを特徴とする。
【０００７】
前記提示手段は、ディスプレイおよびスピーカであり、前記再生手段は、映像信号および音声信号を再生するようにすることができる。
【０００８】
前記加工手段は、音声信号に対応する字幕信号を映像信号に重畳するようにすることができる。
【０００９】
前記加工手段は、映像信号に対応するナレーション用音声信号を音声信号に合成するようにすることができる。
【００１０】
前記提示手段は、スピーカであり、前記再生手段は、第１および第２の音声信号を再生するようにすることができる。
【００１１】
前記加工手段は、検出手段の検出結果に対応する合成比を用いて、第１および第２の音声信号を合成するようにすることができる。
【００１２】
本発明の情報処理装置は、コンテンツ信号を取得する取得手段をさらに含むことができる。
【００１３】
前記取得手段は、カメラであるようにすることができる。
【００１４】
前記取得手段は、マイクロフォンであるようにすることができる。
【００１５】
前記提示手段は、格納手段に対して回転軸を中心として任意の位置に展開可能であるようにすることができる。
【００１６】
前記提示手段は、格納手段に対し、平行移動によって任意の位置に展開可能であるようにすることができる。
【００１７】
前記情報処理装置は、ノート型、電子手帳型、携帯電話機型、または腕時計型であるようにすることができる。
【００１８】
本発明の情報処理方法は、提示手段の格納手段からの展開状態を検出する検出ステップと、再生されたコンテンツ信号を加工する加工ステップと、検出ステップの処理での検出結果に対応して、加工ステップの処理で加工されたコンテンツ信号を提示させる提示制御ステップとを含むことを特徴とする。
【００１９】
本発明の記録媒体のプログラムは、提示手段の格納手段からの展開状態を検出する検出ステップと、再生されたコンテンツ信号を加工する加工ステップと、検出ステップの処理での検出結果に対応して、加工ステップの処理で加工されたコンテンツ信号を提示させる提示制御ステップとを含むことを特徴とする。
【００２０】
本発明のプログラムは、提示手段の格納手段からの展開状態を検出する検出ステップと、再生されたコンテンツ信号を加工する加工ステップと、検出ステップの処理での検出結果に対応して、加工ステップの処理で加工されたコンテンツ信号を提示させる提示制御ステップとをコンピュータに実行させることを特徴とする。
【００２１】
本発明の情報処理装置および方法、並びにプログラムにおいては、提示手段の格納手段からの展開状態が検出され、再生されたコンテンツ信号が加工され、その検出結果に対応して、加工されたコンテンツ信号が提示される。
【００２２】
【発明の実施の形態】
以下、本発明の一実施の形態である格納式情報端末について、図面を参照して説明する。図１乃至図３は、それぞれ、当該格納式情報端末の主にディスプレイやスピーカを重ね合わせて格納する格納部の構造例を示している。なお、当該格納式情報端末の全体的な形状は、例えば、ノート型、電子手帳型、携帯電話機型、腕時計型などのいずれであってもよい。
【００２３】
図１は、格納部２に納められたディスプレイ３およびスピーカ４が、図面上の矢印の方向に、回転軸５を中心として任意の位置まで回動して展開できるようになされている第１の構造例を示している。図２は、格納部２に納められたディスプレイ３およびスピーカ４が、図面上の矢印の方向に、任意の位置まで平行に引き出して展開できるようになされている第２の構造例を示している。図３は、格納部２に格納されたディスプレイ３の映像が格納部２の上面から視聴可能であって、格納部２に納められたスピーカ４が、図面上の矢印の方向に、平行移動して展開できるようになされている第３の構造例を示している。
【００２４】
なお、図１乃至図３に示した第１乃至第３の構造例のいずれにおいても、ディスプレイ３およびスピーカ４をそれぞれ複数設けることが可能である。
【００２５】
次に、格納部２が第２の構造例を有する格納式情報端末の、例えば、人物が「こんにちは」と発声する場面の映像と音声からなるコンテンツを再生した場合における映像表示および音声出力に関わる機能の概要について、図４乃至図７を参照して説明する。なお、同図Ａは格納式情報端末の側面図であり、同図Ｂは格納式情報端末の上面図である。
【００２６】
図４は、ディスプレイ３およびスピーカ４が格納部２に格納されている状態を示している。この状態において、上述したコンテンツを再生した場合、ディスプレイ２は映像を表示せず、スピーカ４は音声を出力しない。
【００２７】
図５は、格納部２からディスプレイ３だけが引き出されて展開され、スピーカ４が格納されている状態を示している。この状態において、上述したコンテンツを再生した場合、ディスプレイ２は、人物の映像に、音声に対応する字幕「こんにちは」を重畳して表示する。スピーカ４は音声を出力しない。
【００２８】
図６は、格納部２からスピーカ４だけが引き出されて展開され、ディスプレイ３が格納されている状態を示している。この状態において、上述したコンテンツを再生した場合、ディスプレイ３は映像を表示しない。スピーカ４は、音声「こんにちは」と、映像を説明するためのナレーション音声「と、中村さんは言いました」を出力する。なお、ナレーション音声のデータは、上述したコンテンツに含まれているものとする。
【００２９】
図７は、格納部２からディスプレイ３とスピーカ４が引き出されて展開されている状態を示している。この状態において、上述したコンテンツを再生した場合、ディスプレイ３は人物の映像を表示し、映像を表示しない。スピーカ４は音声「こんにちは」を出力する。
【００３０】
次に、図８は、図４乃至図７を参照して上述した機能を実現する格納式情報端末の本体１の構成例を示している。
【００３１】
受信部２１は、アンテナ２０によって受信された放送波から、ユーザによって選択された番組のコンテンツデータを抽出して再生部２４に供給する。ドライブ２２は、記録メディア２３に記録されているコンテンツデータを読み出して再生部２４に供給する。なお、再生部２４に供給されるコンテンツデータには、映像データ、音声データ、および映像データの内容を説明するナレーション用音声データが含まれているものとする。
【００３２】
再生部２４の映像再生部２５は、コンテンツデータに含まれる映像データにデコード処理などを施すことによって映像信号Ｖａを生成し、字幕重畳部３０および映像信号選択部３１に出力する。再生部２４の音声再生部２６は、コンテンツデータに含まれる音声データにデコード処理などを施すことによって音声信号Ａａを生成し、音声認識部２９、音声合成部３２、および音声信号選択部３３に出力する。再生部２４のナレーション再生部２７は、コンテンツデータに含まれるナレーション用音声データにデコード処理などを施すことによって、ナレーションの音声信号を生成し、音声合成部３２に出力する。
【００３３】
音声認識部２９は、音声再生部２６からの音声信号Ａａを音声認識して対応する文字列信号を生成し、字幕重畳部３０に出力する。字幕重畳部３０は、映像再生部２５からの映像信号Ｖａに、音声認識部２９からの文字列信号を合成し、図５に示したような字幕を含む映像信号Ｖｂを生成して映像信号選択部３１に出力する。
【００３４】
映像信号選択部３１は、展開状態判定部３４からの制御信号に従い、映像再生部２５から入力される映像信号Ｖａ、または字幕重畳部３０からの映像信号Ｖｂをディスプレイ３に出力する。
【００３５】
音声合成部３２は、音声再生部２６からの音声信号Ａａに、ナレーション再生部２７からのナレーション用の音声信号を合成して音声信号Ａｂを生成し、音声信号選択部３３に出力する。
【００３６】
音声信号選択部３３は、展開状態判定部３４からの制御信号に従い、音声再生部２６から入力される音声信号Ａａ、または音声合成部３２からの音声信号Ａｂをスピーカ４に出力する。
【００３７】
展開状態判定部３４は、ディスプレイ３およびスピーカ４の格納部２からの展開状態を検出し、検出結果に対応して、映像信号選択部３１および音声信号選択部３３に制御信号を出力する。
【００３８】
次に、展開状態判定部３４の動作について、図９のフローチャートを参照して説明する。この動作は、格納式情報端末の電源がオンとされている期間、継続して実行される。この動作の前提として、映像信号選択部３１には映像信号Ｖａ，Ｖｂが入力され、音声信号選択部３３には音声信号Ａａ，Ａｂが入力されているものとする。
【００３９】
ステップＳ１において、展開状態判定部３４は、ディスプレイ３およびスピーカ４の格納部２からの展開状態を検出する。ステップＳ２において、展開状態判定部３４は、ステップＳ１での検出結果に基づき、格納部２にディスプレイ３が格納されているか否かを判定する。ディスプレイ３が格納されていると判定された場合、処理はステップＳ３に進む。
【００４０】
ステップＳ３において、展開状態判定部３４は、ステップＳ１での検出結果に基づき、格納部２にスピーカ４が格納されているか否かを判定する。スピーカ４が格納されていると判定された場合、処理はステップＳ４に進む。
【００４１】
ステップＳ４において、展開状態判定部３４は、映像信号選択部３１に対し、後段に映像信号Ｖａ，Ｖｂのいずれも出力しないように指示する制御信号を出力する。また、展開状態判定部３４は、音声信号選択部３３に対し、後段に音声信号Ａａ，Ａｂのいずれも出力しないように指示する制御信号を出力する。処理はステップＳ１に戻り、それ以降の処理が繰り返される。
【００４２】
ステップＳ３において、スピーカ４が格納されていないと判定された場合、処理はステップＳ５に進む。ステップＳ５において、展開状態判定部３４は、映像信号選択部３１に対し、後段に映像信号Ｖａ，Ｖｂのいずれも出力しないように指示する制御信号を出力する。また、展開状態判定部３４は、音声信号選択部３３に対し、音声合成部３２からの音声信号Ａｂをスピーカ４に出力するように指示する制御信号を出力する。処理はステップＳ１に戻り、それ以降の処理が繰り返される。
【００４３】
ステップＳ２において、ディスプレイ３が格納されていないと判定された場合、処理はステップＳ６に進む。ステップＳ６において、展開状態判定部３４は、ステップＳ１での検出結果に基づき、格納部２にスピーカ４が格納されているか否かを判定する。スピーカ４が格納されていると判定された場合、処理はステップＳ７に進む。
【００４４】
ステップＳ７において、展開状態判定部３４は、映像信号選択部３１に対し、字幕重畳部３０からの映像信号Ｖｂをディスプレイ３に出力するように指示する制御信号を出力する。また、展開状態判定部３４は、音声信号選択部３３に対し、後段に音声信号Ａａ，Ａｂのいずれも出力しないように指示する制御信号を出力する。処理はステップＳ１に戻り、それ以降の処理が繰り返される。
【００４５】
ステップＳ６において、スピーカ４が格納されていないと判定された場合、処理はステップＳ８に進む。ステップＳ８において、展開状態判定部３４は、映像信号選択部３１に対し、映像再生部２５からの映像信号Ｖａをディスプレイ３に出力するように指示する制御信号を出力する。また、展開状態判定部３４は、音声信号選択部３３に対し、音声再生部２６からの音声信号Ａａをスピーカ４に出力するように指示する制御信号を出力する。処理はステップＳ１に戻り、それ以降の処理が繰り返される。以上、展開状態判定部３４の動作の説明を終了する。
【００４６】
次に、格納部２が第３の構造例を有する格納式情報端末の、例えば、画面上の右側の人物が「こんにちは」と発声し、左側の人物が「やぁ、元気！」と発声する場面の音声出力に関わる機能の概要について、図１０乃至図１２を参照して説明する。なお、同図Ａは格納式情報端末の側面図であり、同図Ｂは格納式情報端末の上面図である。
【００４７】
図１０は、スピーカ４が格納部２から展開されることなく、格納されている状態を示している。この状態において、スピーカ４は、画面に右側の人物の発声と左側の人物の発声を本来の音量を変更することなく出力する。
【００４８】
図１１は、スピーカ４が格納部２から左側に半分程度だけ展開された状態を示している。この状態において、スピーカ４は、画面に右側の人物の発声の音量を減少して、左側の人物の発声の音量を増加して出力する。
【００４９】
図１２は、スピーカ４が格納部２から右側に限界まで展開された状態を示している。この状態において、スピーカ４は、画面に右側の人物の発声の音量を増加して出力し、左側の人物の発声を出力しない。
【００５０】
次に、図１３は、図１０乃至図１２を参照して上述した機能を実現する格納式情報端末の本体１の構成例を示している。
【００５１】
映像取得部５１は、例えばＣＣＤ（Ｃｈａｒｇｅ　Ｃｏｕｐｌｅｄ　Ｄｅｖｉｃｅ）などの撮像素子からなり、生成した映像信号をディスプレイ３に出力する。なお、映像取得部５１の代わりに、図８の受信部２１またはドライブ２２と、映像再生部２５を設けてもよい。
【００５２】
第１音声入力部５２は、例えばマイクロフォンなどからなり、映像取得部５１が撮像する被写体の右側の音声を集音し、得られる音声信号Ａｒを音声合成部５５に出力する。第２音声入力部５２は、例えばマイクロフォンなどからなり、映像取得部５１が撮像する被写体の左側の音声を集音し、得られる音声信号Ａｌを音声合成部５５に出力する。なお、第１音声入力部５２および第２音声入力部５２の代わりに、図８の受信部２１またはドライブ２２と、音声再生部２６を設けてもよい。
【００５３】
展開状態判定部５４は、格納部２に対するスピーカ４の展開状態を検知し、検知結果に従って音声信号Ａｒと音声信号Ａｌとの合成比率αを決定して音声合成部５５に出力する。音声合成部５５は、展開状態判定部５４からの合成比率αを用い、次式（１）のように音声信号Ａｒ，Ａｌを合成し、得られる合成音声信号をスピーカ４に出力する。
合成音声信号＝α・Ａｒ＋（２−α）・Ａｌ　　　　　　　　　・・・（１）
【００５４】
次に、展開状態判定部５４の動作について、図１４のフローチャートを参照して説明する。この動作は、格納式情報端末の電源がオンとされている期間、継続して実行される。この動作の前提として、音声合成部５５には、音声信号Ａｒ，Ａｌが入力されているものとする。
【００５５】
ステップＳ１１において、展開状態判定部５４は、スピーカ４の格納部２からの展開状態を、スピーカ４の展開状態に比例するパラメータＸとして検出する。具体的には、例えば、スピーカ４が左側の限界まで展開されている状態をパラメータＸ＝−１として検出し、スピーカ４が格納部２に完全に格納されている状態をパラメータＸ＝０として検出し、スピーカ４が右側の限界まで展開されている状態をパラメータＸ＝１として検出する。
【００５６】
ステップＳ１２において、展開状態判定部５４は、ステップＳ１１の検出結果に基づいて合成比率αを次式（２）に従って算出する。処理はステップＳ１１に戻り、それ以降の処理が繰り返される。
合成比率α＝Ｘ＋１　　　　　　　　　　　　　　　　　　　　・・・（２）
【００５７】
このようにして算出された合成比率αに従い、図１５に示すように、音声合成部５５によって音声信号Ａｒ，Ａｌが合成され、対応する音声がスピーカ４から出力される。以上、展開状態判定部５４の動作の説明を終了する。
【００５８】
以上説明したように、本発明を適用した格納式情報端末によれば、ディスプレイやスピーカの展開状態を変化させることによって映像や音声が変化するので、ディスプレイやスピーカを用いた効果的な情報提示が可能となり、ユーザは直感的にその操作を理解することができる。
【００５９】
なお、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【００６０】
図１６は、プログラムを実行することによって格納式情報端末として動作するパーソナルコンピュータの構成例を示している。
【００６１】
このパーソナルコンピュータは、ＣＰＵ（Ｃｅｎｔｒａｌ　Ｐｒｏｃｅｓｓｉｎｇ　Ｕｎｉｔ）７１を内蔵している。ＣＰＵ７１にはバス７４を介して、入出力インタフェース７５が接続されている。バス７４には、ＲＯＭ（Ｒｅａｄ　Ｏｎｌｙ　Ｍｅｍｏｒｙ）７２およびＲＡＭ（Ｒａｎｄｏｍ　Ａｃｃｅｓｓ　Ｍｅｍｏｒｙ）７３が接続されている。
【００６２】
入出力インタフェース７５には、ユーザが操作コマンドを入力するキーボード、マウスなどの入力デバイスよりなる操作入力部７６、ディスプレイ３に映像信号を出力したり、スピーカ４に音声信号を出力したりする出力部７７、プログラムや各種データを格納するハードディスクドライブなどよりなる記憶部７８、ネットワークを介してデータを通信する通信部７９、および磁気ディスク８１乃至半導体メモリ８４などの記録媒体に対してデータを読み書きするドライブ８０が接続されている。
【００６３】
このパーソナルコンピュータに格納式情報端末としての動作を実行させるプログラムは、磁気ディスク８１（フレキシブルディスクを含む）、光ディスク８２（ＣＤ−ＲＯＭ（Ｃｏｍｐａｃｔ　Ｄｉｓｃ−Ｒｅａｄ　Ｏｎｌｙ　Ｍｅｍｏｒｙ）、ＤＶＤ（Ｄｉｇｉｔａｌ　Ｖｅｒｓａｔｉｌｅ　Ｄｉｓｃ）を含む）、光磁気ディスク８３（ＭＤ（Ｍｉｎｉ　Ｄｉｓｃ）を含む）、もしくは半導体メモリ８４に格納された状態でパーソナルコンピュータに供給され、ドライブ８０によって読み出されて記憶部７８に内蔵されるハードディスクドライブにインストールされている。記憶部７８にインストールされているプログラムは、操作入力部７６に入力されるユーザからの操作コマンドに対応するＣＰＵ７１の指令によって、記憶部７８からＲＡＭ７３にロードされて実行される。
【００６４】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【００６５】
また、本明細書において、システムとは、複数の装置により構成される装置全体を表すものである。
【００６６】
【発明の効果】
以上のように、本発明によれば、ディスプレイやスピーカの展開状態に対応して、表示する映像や出力する音声を変化する格納式情報端末を実現することが可能となる。
【図面の簡単な説明】
【図１】本発明を適用した格納式情報端末の格納部２の第１の構造例を示す図である。
【図２】本発明を適用した格納式情報端末の格納部２の第２の構造例を示す図である。
【図３】本発明を適用した格納式情報端末の格納部２の第３の構造例を示す図である。
【図４】格納部２が第２の構造例を有する格納式情報端末の映像表示および音声出力に関わる機能の概要について説明するための図である。
【図５】格納部２が第２の構造例を有する格納式情報端末の映像表示および音声出力に関わる機能の概要について説明するための図である。
【図６】格納部２が第２の構造例を有する格納式情報端末の映像表示および音声出力に関わる機能の概要について説明するための図である。
【図７】格納部２が第２の構造例を有する格納式情報端末の映像表示および音声出力に関わる機能の概要について説明するための図である。
【図８】格納部２が第２の構造例を有する格納式情報端末の本体１の構成例を示すブロック図である。
【図９】展開状態判定部３４の動作を説明するフローチャートである。
【図１０】格納部２が第３の構造例を有する格納式情報端末の音声出力に関わる機能の概要について説明するための図である。
【図１１】格納部２が第３の構造例を有する格納式情報端末の音声出力に関わる機能の概要について説明するための図である。
【図１２】格納部２が第３の構造例を有する格納式情報端末の音声出力に関わる機能の概要について説明するための図である。
【図１３】格納部２が第３の構造例を有する格納式情報端末の本体１の構成例を示すブロック図である。
【図１４】展開状態判定部５４の動作を説明するフローチャートである。
【図１５】スピーカ４の展開状態を示すパラメータＸに対応して合成される音声信号Ａｒ，Ａｌを示す図である。
【図１６】汎用パーソナルコンピュータの構成例を示すブロック図である。
【符号の説明】
１　本体，　２　格納部，　３　ディスプレイ，　４　スピーカ，　２４　再生部，　２５　映像再生部，　２６　音声再生部，　２７　ナレーション再生部，　２９　音声認識部，　３０　字幕重畳部，　３１　映像信号選択部，　３２音声合成部，　３３　音声信号選択部，　３４　展開状態判定部，　５１　映像取得部，　５２　第１音声入力部，　５３　第２音声入力部，　５４　展開状態判定部，　５５　音声合成部，　７１　ＣＰＵ，　８１　磁気ディスク，　８２
光ディスク，　８３　光磁気ディスク，　８４　半導体メモリ
【図１】
2004046664.tif 000003
【図２】
2004046664.tif 000004
【図３】
2004046664.tif 000005
【図４】
2004046664.tif 000006
【図５】
2004046664.tif 000007
【図６】
2004046664.tif 000008
【図７】
2004046664.tif 000009
【図８】
2004046664.tif 000010
【図９】
2004046664.tif 000011
【図１０】
2004046664.tif 000012
【図１１】
2004046664.tif 000013
【図１２】
2004046664.tif 000014
【図１３】
2004046664.tif 000015
【図１４】
2004046664.tif 000016
【図１５】
2004046664.tif 000017
【図１６】
2004046664.tif 000018